(57)【要約】【課題】従来の陶磁器製の骨壺等は破損し易く、盆や彼岸に多くの参拝者で混雑する寺の共同納骨場等において、多量の陶磁器製の骨壺が破損した場合には、大惨事を招く。また、かかる多量の陶磁器製の骨壺の破損は、資源の浪費や環境汚染につながる。本発明は、かかる問題のない紙製の遺骨・遺品収容用の箱を提供することを課題とする。【解決手段】本発明の遺骨・遺品収容箱１は、有底角筒形状の箱本体２と蓋体３とから成り、箱本体２の内部に角筒形の中枠体４が収容されており、蓋体３の内壁が、箱本体２の上部に適合した角形形状に成形されていて、箱本体２、蓋体３および中枠体４が硬質の紙材から成り、箱本体２、蓋体３および中枠体４におけるコーナー部分がＶカット加工で成形されており、蓋体３の内壁における天井部分および中枠体４を収容した箱本体２の内部の少なくともいずれかに、調湿体５を備えたことを特徴とする。【選択図】図１
2008073108.tif 000002
【特許請求の範囲】
【請求項１】
有底角筒形状の箱本体と、前記箱本体に被せられる蓋体とから成る、遺骨ないし遺品を収容するための箱であって、前記箱本体の内部に、前記箱本体と同心の角筒形の中枠体が、前記箱本体の内壁に沿って収容されており、
前記蓋体が、前記箱本体に被せられた際に、前記箱本体の高さの5〜100%に相当する、前記箱本体の上部を覆う形状であり、前記蓋体が前記箱本体の前記上部に緊密状態で嵌合され得るように、前記蓋体の内壁が、前記箱本体の前記上部に適合した角形形状に成形されていて、
前記箱本体、前記蓋体および前記中枠体が、複数枚の紙を重ねて貼り合わせた積層構造の硬質の紙材から成り、
前記箱本体、前記蓋体および前記中枠体におけるコーナー部分がＶカット加工で形成されており、
前記蓋体の内壁における天井部分、および前記中枠体を収容した前記箱本体の内部の少なくともいずれかに、調湿体を備えて成ることを特徴とする、遺骨・遺品収容箱。
【請求項２】
平板状の中蓋をさらに備え、
前記中枠体が、少なくとも前記中蓋の厚み分、前記箱本体の内部の深さよりも低く形成されており、
前記中枠体の上に、前記中蓋を載置でき、
前記調湿体が前記中枠体の内部に備えられていることを特徴とする、請求項１に記載の遺骨・遺品収容箱。
【請求項３】
前記調湿体が、紙材の一方の面を多孔質の無機粉末でコーティングして成る調湿シートであり、前記調湿シートを、前記多孔質の無機粉末でコーティングした面を前記中枠体の内壁に当接させた状態で、前記中枠体の内部に収容して成ることを特徴とする、請求項１または請求項２に記載の遺骨・遺品収容箱。
【請求項４】
前記調湿体が、吸放湿材料を含む結露防止用シート体であることを特徴とする、請求項１〜３のいずれか１項に記載の遺骨・遺品収容箱。
【請求項５】
前記箱本体、前記蓋体および前記中枠体の少なくともいずれかの内壁を、金および銀の少なくともいずれかで着色したことを特徴とする、請求項１〜４のいずれか１項に記載の遺骨・遺品収容箱。
【請求項６】
前記箱本体の外側底部に滑り止め加工が施されて成ることを特徴とする、請求項１〜５のいずれか１項に記載の遺骨・遺品収容箱。
【発明の詳細な説明】
【技術分野】
【０００１】
本発明は、遺骨や遺品を収容するための紙製の箱に関する。
【背景技術】
【０００２】
御骨や遺品を収容して、墓の中や納骨場に納めるために、従来、様々な容器が使用されてきた。
【特許文献１】実用新案出願公開昭６０−１８０４２２号公報
【特許文献２】実用新案出願公開平３−８８５１８号公報
【発明の開示】
【発明が解決しようとする課題】
【０００３】
かかる容器は従来、陶磁器やプラスチック等の耐腐敗性・耐水性ある材から成るものが多かった。しかし、かかる材を用いた容器は、結露等により内部が湿気てカビが発生したり、内部に大量の水を溜め込む問題があった。また、特に、広く使用されている陶磁器製の容器においては、割れやすく、重いことから、運搬や取り扱いが不便である、複数個を積み上げて収納できないといった問題があった。即ち、従来の陶磁器製の容器は、重くて取り扱いが不便で、破損し易く、例えば、盆や彼岸に多くの参拝者で混雑する寺の共同納骨場等において、多量の陶磁器製の骨壺が衝撃を受けて破損した場合には、危険極まる大惨事を招く。また、かかる多量の陶磁器製の骨壺の破損は、資源の浪費や環境汚染につながる。
【０００４】
他方、かかる問題のない紙製の骨箱や骨壷が、既にいくつか開発されている（特許文献１および特許文献２）。
しかし、かかる従来の紙製の骨箱・骨壷の多くは、当該骨箱・骨壷が墓の中等で分解されることを意図する構成となっており、安定性・耐久性の面で問題がある。
そこで、本発明は、長期に渡って、安定した丈夫な構造を保持し、かつ安定した内部湿度を維持し、しかも滑りにくく安置可能で、複数個をコンパクトに収納箇所に収納できる遺骨・遺品収容用の箱を提供することを課題とする。
【課題を解決するための手段】
【０００５】
本発明の遺骨・遺品収容箱は、有底角筒形状の箱本体と、前記箱本体に被せられる蓋体とから成る、遺骨ないし遺品を収容するための箱であって、前記箱本体の内部に、前記箱本体と同心の角筒形の中枠体が、前記箱本体の内壁に沿って収容されており、
前記蓋体が、前記箱本体に被せられた際に、前記箱本体の高さの5〜100%に相当する、前記箱本体の上部を覆う形状であり、前記蓋体が前記箱本体の前記上部に緊密状態で嵌合され得るように、前記蓋体の内壁が、前記箱本体の前記上部に適合した角形形状に成形されていて、
前記箱本体、前記蓋体および前記中枠体が、複数枚の紙を重ねて貼り合わせた積層構造の硬質の紙材から成り、
前記箱本体、前記蓋体および前記中枠体におけるコーナー部分がＶカット加工で形成されており、
前記蓋体の内壁における天井部分、および前記中枠体を収容した前記箱本体の内部の少なくともいずれかに、調湿体を備えて成ることを特徴とする。
【０００６】
本発明の遺骨・遺品収容箱は、また、平板状の中蓋をさらに備え、前記中枠体が、少なくとも前記中蓋の厚み分、前記箱本体の内部の深さよりも低く形成されており、前記中枠体の上に、前記中蓋を載置でき、前記調湿体が前記中枠体の内部に備えられていることを特徴とする。
本発明の遺骨・遺品収容箱は、また、前記箱本体の外側底部に滑り止め加工が施されて成ることを特徴とする。
【０００７】
本発明における前記箱本体は、上部を開口として、内部に御骨や遺品を収納するためのものである。一方、本発明における前記蓋体は、前記箱本体を覆って、前記箱本体に収容された収容物を保護すると共に、前記箱本体の少なくとも側部上部を外側から緊密に包囲・支持し、箱本体と固く結合・一体化して、遺骨・遺品収容箱の構造安定性を確保する機能を果たす。本発明における蓋体は、前記箱本体の側壁との重なり部分が大きい程、より安定に前記箱本体と結合・一体化でき、丈夫な遺骨・遺品収容箱を作成できることから、好ましくは箱本体の高さの50〜100%、より好ましくは箱本体の高さの80〜100%に相当する前記箱本体の上部を覆うように形成される。
蓋体の内壁の形状に関して、本明細書中、「蓋体の内壁が箱本体の上部に適合した形状」とは、蓋体の内壁が箱本体の上部と互いに合い補完して嵌合一体化し、このように一体化した状態において、蓋体の内壁と箱本体の側壁とが、例えば0.01mm〜3mmといった非常に僅かな間隔のみ空けて対向する形状を意味する。
【０００８】
本発明における前記中枠体は、前記箱本体を内部から支持して、遺骨・遺品収容箱の安定性を確保するためのものであり、箱本体の内部側壁の全周に沿うことが好ましい。かかる中枠体は、前記箱本体の内壁に、例えば接着剤を用いる等により固着されてもよいし、箱本体内部において上下にスライド移動可能に、収容されてもよい。
【０００９】
本発明における前記箱本体、前記蓋体および前記中枠体は、硬質の紙材、例えば、複数枚の紙を重ねて貼り合わせた積層構造の紙材で作成される。特に、本発明の遺骨・遺品収容箱を、有底角筒形状の箱本体と、前記箱本体の上部に適合した内壁を有する、天井部を有する角筒形状の蓋体と、前記当該箱本体と同心の角筒形の中枠体から作成する場合は、かかる積層構造の紙材であって、少なくとも当該紙材の乾燥状態において、同程度の厚さの木製の板と同程度の硬さを持つ硬質の紙板材を好適に使用でき、市場入手可能な、かかる硬さを有するダンボール紙も用いることができる。
本発明における前記箱本体、前記蓋体および前記中枠体は、例えば、1mm〜1cmの厚みを有し、前記角筒形の箱本体、前記角筒形の蓋体および前記角筒形の中枠体は、かかる厚さの前記硬質の紙板材を用いて好適に作製できる。
【００１０】
本発明における前記箱本体、前記蓋体および前記中枠体は、Ｖカット加工を用いて、そのコーナー部分、即ち、底面と側面、側面とその隣の側面、および蓋体における天井部分と縁部、等により形成される角部を作成されることが好ましく、こうすることで、各構造体の構造安定性が高まる。なお、明細書中、「Ｖカット加工」とは、当該コーナー部分を挟む隣り合う二面を平面上に展開した場合に、当該コーナー部分の内側に相当する側に、Ｖ字形の溝が、当該展開された二面の間に現れるような加工を意味し、例えば、同じ厚さの二枚の紙板の各一端縁を各々、当該紙板の一方の面に対して同じ角度をなして傾斜する斜面とし、互いの前記斜面を左右に対称的に対向させて前記二枚の紙板を並べた状態で、当該両斜面を接合することにより、所望の角度の角が形成されるようにする加工や、厚紙などを折り曲げて箱体などの角を形成する場合に、厚紙などの折り曲げ線に沿って、当該折り曲げ線上に頂点が位置し、その左右に斜面が形成されるようなＶ字形のカットを設け、前記左右の斜面を接合させることにより、所望の角度の角が形成されるようにする加工を含む。
【００１１】
前記本発明の遺骨・遺品収容箱は、前記中枠体を、前記箱本体の内部の深さよりも低く形成することにより、当該中枠体を、前記箱本体の内部において、当該箱本体の上端縁よりも低く収容でき、当該中枠体の上に、例えば、前記中枠体の内部空洞の横断面よりも大きく、前記箱本体の内部空洞の横断面より小さく成形した中蓋を載置することができる。このように中蓋を備えることにより、蓋体を空けた際に、すぐに箱本体の内部が露呈することがない他、当該箱本体の開口の周壁を当該蓋体が内側から支持して、蓋体を被せた状態において、本発明の遺骨・遺品収容箱の安定性がいっそう高まる。
【００１２】
かかる中蓋を備える場合、当該中蓋を前記中枠体の上に載置した状態で、その上から箱本体に蓋体を緊密状態で被せる必要があることから、前記中蓋は、前記箱本体の上端縁から突出しないことが好ましく、かかる中蓋は好ましくは、前記硬質の紙板材を用いて作製された平板であり、中枠体は、好ましくは、前記箱本体の内部の深さよりも、少なくとも前記中蓋の厚み分低く形成され、特に好ましくは、中枠体の上端縁が水平になるように、形成・配置される。
【００１３】
本発明における調湿体は、本発明の遺骨・遺品収容箱の内部で、周囲の湿度に追随して吸・放湿を繰り返し、遺骨・遺品収容箱の内部の湿度を安定化する機能を果たすものであり、調湿作用を示す種々の調湿材、例えば、陶磁器粉末、瓦粉末、活性炭、ゼオライト等の無機多孔質物質や、合成の材を使用できる。かかる調湿材は、例えば、本発明の遺骨・遺品収容箱の内部に、離散せずにコンパクトに収容可能な方法で、例えば、シート体に成形されて、または通気性のある小袋に収容されて、本発明の遺骨・遺品収容箱内部に備えられる。シート体に成形された調湿体としては、例えば、紙の少なくとも一方の面に無機多孔質物質の微粉末をコーティングして成る調湿シートや、特願2002-159441号に記載の結露防止用シート体等が挙げられる。
【００１４】
特に、紙の少なくとも一方の面に無機多孔質物質の微粉末をコーティングして成る調湿シートを使用する場合には、当該無機多孔質物質微粉末のコーティングは、例えば、無機多孔質物質の微粉末を、例えばポパール、セルロース誘導体等の適当なバインダーおよび所望により適当な溶媒その他の添加物と混合し、得られた混合物を、塗布、浸漬、スプレー等により、当該紙の少なくとも一方の面にコーティングすることにより可能である。例えば、紙1m2当たり1.0〜10.0gの割合で無機多孔質物質をコーティングした調湿シート、特に、紙1m2当たり2.0〜5.0gの割合でコーティングした調湿シートを適切に使用できる。かかるシート体は、本発明の遺骨・遺品収容箱の内部に、好ましくは、無機多孔質物質の微粉末のコーティングが当該内部において露出しないように、配置・収容される。即ち、かかるシート体は、バインダーを用いて貼り付ける等により、遺骨・遺品収容箱の内壁と一体化して、無機多孔質物質の微粉末のコーティング層の露出を確実に防ぐことも可能であり、このように一体化することで、当該無機多孔質物質の微粉末の欠落や劣化を防止でき、シート体の耐久性が高まる。
【００１５】
前記本発明の遺骨・遺品収容箱に抗菌性を付与するために、前記箱本体、蓋体および中枠体の少なくとも一つの内壁を、また、場合により中蓋の下側の面、および場合により調湿体の少なくとも一部を、抗菌効果を示す着色物質を用いて着色してもよい。かかる抗菌効果を示す着色物質としては、例えば、金、銀、白金、べんがら等が挙げられる。着色は、例えば、かかる着色物質を、ポパール、セルロース誘導体等のバインダー、および所望により適当な溶媒その他の添加物と混合し、得られた混合物を、塗布、スプレー等により、着色箇所にコーティングすることによりなされ、着色される箇所を構成する材の通気・通湿性を損なわない程度、例えば、着色箇所1m2当たり3〜10g、好ましくは5〜8gの着色物質の割合でなされる。
【００１６】
本発明の遺骨・遺品収容箱は、紙製であるため、陶磁器等に比べて、その外側表面に凹凸があることから、滑りにくく、単独でも複数個でも、陶磁器等と比べて安定に収納・安置可能だが、よりいっそうの安定性および滑りにくさを確保するために、前記箱本体の少なくとも外側底部に、滑り止め加工を施すことができる。かかる滑り止め加工は、当該加工を施す箇所に、摩擦係数の高いシートや部材を貼り付ける、当該箇所に凹凸構造を設ける等により可能である。摩擦係数の高いシートとしては、例えば、ゴムシート、製造過程において発泡処理された合成樹脂シート等が挙げられる。
【００１７】
本発明の遺骨・遺品収容箱は、所望の外観とするために、前記箱本体および前記蓋体の外側表面において、織物地、紙地、布地等の種々の生地を貼り合わせて完成されてもよい。かかる生地は、通気・通湿性を有するものが適しており、調湿性を有するものがいっそう好ましい。
本発明の遺骨・遺品収容箱は、識別のためのラベルを挟むための枠縁を備えてよく、例えば遺骨や遺品の主の特定を容易にすることができる。かかる枠縁は、例えば、蓋体の外側壁面に設けることができる。また、本発明の遺骨・遺品収容箱は、シール状の識別ラベルを、箱本体や蓋体に、中蓋を備える場合には中蓋に、貼り付けることができる。
【発明の効果】
【００１８】
本発明の遺骨・遺品収容箱は、構造が極めて安定で丈夫であり、仏壇や納骨場、墓の中等の様々な場所に安置できる。加えて、本発明の遺骨・遺品収容箱は、優れた調湿性を有し、室内はもちろん、低温・多湿の場所に収納した場合でも、長期間、内部の湿度が安定であり、清潔な状態を維持し、結露を防いで、内部に水をため込まず、安定な構造を保つ。さらに、本発明の遺骨・遺品収容箱は、その外側表面が滑りにくい構成になっており、複数の収容箱を収納箇所に非常に安定かつコンパクトに収納できる。また、本発明の遺骨・遺品収容箱は割れたり欠けたりすることがなく、軽くて運搬・取り扱い上、極めて都合がよい。
【００１９】
以下に、本発明の遺骨・遺品収容箱の具体的態様を示す。
[実施例]
[実施例１]
図１Ａに示す遺骨・遺品収容箱１は、有底の立方形角筒形状の箱本体２と、天井部を有する四角筒形状の蓋体３と、箱本体２の内部に収容される、箱本体２と同心の四角筒形の中枠体４とから成り、中枠体４の内部には調湿シート５が、中枠体４の内壁全周に沿うように、中枠体４の内側壁面と当接した状態で収容されている。蓋体３は、箱本体２の高さの約90%に相当する箱本体２の上部を覆って、箱本体２に被せられ得、蓋体３の内部は、箱本体２の横断面よりも、縦横の長さが各々1mmだけ大きな横断面を有する空洞となっており、蓋体３を箱本体２に被せたときに、蓋体３の内部壁面と箱本体２の側壁との間に0.5mmだけ隙間が空いて、蓋体３を箱本体２の上部に、緊密に一体化できる。中枠体４は、箱本体２の内部壁面に対して上下方向にスライド自在に収容されている。中枠体４は、箱本体２の内部の深さよりも1cm低く作成されており、中枠体４の上端縁６が、箱本体２の上端縁７よりも1cm低くなるように、箱本体２の内部に収容できる。箱本体２、蓋体３および中枠体４は各々、複数枚の紙を重ねて貼り合わせた積層構造の紙板（3mm厚）であって、木製の板のような硬さおよび質感の、非常に硬質の紙板を用いて作製されている。また、前記箱本体２等の構造体のコーナー部分は、一枚の紙板に、当該構造体の内側を形成する面の側に開く断面Ｖ字形の溝を作成し、当該溝のＶ字の先端を折り曲げ線として、当該Ｖ字の先端の両側の斜面を接着することにより形成されている。詳しくは、溝のＶ字の先端の両側の斜面は各々、前記紙板の、当該構造体の外側を形成する面に対して45°傾斜しており、当該両斜面を接着することにより、実質的に直角のコーナー部分を形成している。調湿シート５は、0.3mm厚さの紙材の一方の面に瓦粉末（平均粒度2.7μm）をコーティングし、他方の面を金で着色して成り、瓦粉末をコーティングした面を中枠体４の内部壁面に当接させた状態で、中枠体４の内部に収容されている。瓦粉末は、瓦粉末を15重量%、ポパールを85重量%の割合で含む溶液を紙材の一方の面に塗布することにより、紙1m2当たり瓦粉末3.4gの割合で一様にコーティングされている。他方、金での着色は、グラビアインキ中に金を含んで成る金溶液を、前記紙材の一方側の面に２回塗布することにより、紙1m2当たり金7.5gの割合で金粒子を一様にコーティングすることによりなされている。
図１ＡおよびＢに示す遺骨・遺品収容箱１では、箱本体２および蓋体３の外側表面において、桐の木目を印刷した紙地が貼合されており、遺骨・遺品収容箱１は、木製様の外観を呈する。
【００２０】
遺骨・遺品収容箱１は、極めて安定であり、丈夫であり、蓋体３を箱本体２に被せた状態で、体重70kgの大人が乗っても壊れず、変形すらしない。加えて、遺骨・遺品収容箱１は、仏壇や寺の本堂等の常温・常湿環境に置いた場合はもちろん、低温・多湿な墓の中に保管した場合にも、長期間結露が発生せず、水が溜まらず、内部は清潔な状態で、安定した構造を維持する。特に、墓の中での安定性に関して、30〜50年間、十分安定な構造を維持することが、発明者により確認されている。
【００２１】
なお、瓦粉末に代えて、調湿効果を示す種々の物質、例えば活性炭等の無機多孔質物質を用いても、同様の効果を得ることができる。
また、抗菌性をより高めるために、箱本体２、蓋体３および中枠体４の少なくともいずれかの内部壁面を、調湿シート５の着色に用いたものと同じ金溶液を用いて、同様の方法で着色できる。また、金に代えて、抗菌効果を示す種々の抗菌性の着色物質、例えば、銀、白金、べんがら等を用いて同様の方法で、同様の着色をなしてもよい。
【００２２】
[実施例２]
図１Ａに示す遺骨・遺品収容箱１が、収納場所において、滑らずに安置され得るように、箱本体２の底部外側に滑り止め用のシートＳを貼り付けることができる。図１Ｃに、遺骨・遺品収容箱１の箱本体２の外側底部に滑り止め用のシートＳを貼り付けた本発明の遺骨・遺品収容箱１'の底面図を示す。シートＳは、セルロース92重量%、二酸化チタン2重量%、硫酸アルミニウム2重量%およびアクリル系樹脂4重量%から成り、シート製造工程において、これら成分を混合し、発泡処理して作製したものであり、摩擦係数の高いものである。
本発明の遺骨・遺品収容箱１'は、極めて滑りにくく、非常に安定に置くことができる。
【００２３】
[実施例３]
図２Ａに蓋体を取り去った状態を示す、本発明の遺骨・遺品収容箱１"は、中枠体４の内部側壁と、調湿シート５と同じ構成の調湿シート５"を一体化したことを除き、図１に示す遺骨・遺品収容箱１と同じ構成から成る。即ち、この図に示す本発明の遺骨・遺品収容箱１"においては、箱本体２の内部は、中枠体４の内部側から、金のコーティング層Ｇ、紙材Ｐ、瓦粉末コーティング層Ｔおよび紙板（中枠体４）が重畳して成る多層構造になっており、瓦粉末コーティング層Ｔは中枠体４の内部に露出せず、瓦粉末コーティング層Ｔの剥落・劣化が防止される。この遺骨・遺品収容箱１"においても、箱本体２、蓋体３および中枠体４の少なくともいずれかの内部壁面に着色処理を施すことができるが、中枠体４に一体化された調湿シート５"の表面に同様の着色Ｇが施されていることから、中枠体４の内部壁面の着色処理は省略できる。
遺骨・遺品収容箱１"も、蓋体を被せた状態で、図１に示す遺骨・遺品収容箱１と同様の、優れた安定性、調湿性および耐久性を示す。
【００２４】
[実施例４]  
図２Ｃに蓋体を取り去った状態を示す、本発明の遺骨・遺品収容箱１"'は、調湿シートとして、図１に示す調湿シート５に代えて、特願2002-159441号に開示された結露防止用シート体５"'を用いた以外は、図１Ａに示す遺骨・遺品収容箱１と同じ構成から成る。
遺骨・遺品収容箱１"'では、中枠体４の内部壁面の一面に、結露防止用シート体５"'が、強力なテープ８で貼り付けてある。
遺骨・遺品収容箱１"'も、蓋体を被せた状態で、図１に示す遺骨・遺品収容箱１と同様の、優れた安定性、調湿性および耐久性を示す。
【００２５】
[実施例５]
図３Ｂに蓋体を取り去った状態を示す、本発明の遺骨・遺品収容箱１-２は、中枠体４の上に載置される中蓋９をさらに備えたことを除き、図１に示す遺骨・遺品収容箱１と同じ構成から成る。中蓋９は、中枠体４の側壁外周の横断面と同じ大きさで、前記箱本体２の内部空洞の横断面よりも縦横各々1mm小さく成形した四角形の平板（厚さ3mm)であり、箱本体２、蓋体３および中枠体４の作製に用いたものと同じ硬質の紙板から成る。中蓋９の一辺の中央部には、直径2.5cmの半円形の切欠１０が設けられており、中蓋９を容易に開閉できるようになっている。遺骨・遺品収容箱１-２は、中蓋９を中枠体４の上に載置した状態で、上から蓋体３を緊密状態で被せることができる。なお、所望により、中蓋９の下側の面に着色を施してもよい。
遺骨・遺品収容箱１-２は、蓋体３を被せた状態で、中蓋９のために、図１Ａに示す遺骨・遺品収容箱１よりも若干、より安定で、丈夫であり、また、図１Ａに示す遺骨・遺品収容箱１と同様の、優れた調湿性および耐久性を示す。
【００２６】
[実施例６]
図４に示す本発明の遺骨・遺品収容箱１""は、有底の横長四角筒形状の箱本体２""と、天井部を有する横長四角筒形状の蓋体３""と、箱本体２""の内部に、箱本体１""の内壁一周に沿って収容される横長四角筒形の中枠体４""と、中枠体４""の上に載置される中蓋９""と、から成る。中枠体４""の内部壁面の一面には、図１Ｂに示す調湿シート５と同じ構成の調湿シート５""が貼り付けられている。蓋体３""は、箱本体２""の高さの約80%に相当する箱本体２""の上部を覆って、箱本体２""に被せられ得、蓋体３""の内部は、箱本体２""よりも、その横断面の縦横の長さが各々0.6mmだけ大きな空洞となっており、蓋体３""を箱本体２""に緊密に一体化できる。中枠体４""は、箱本体２""の内部壁面に接着剤で固着されており、中枠体４""の上端縁６""は、箱本体２""の上端縁７""よりも1cm低い位置で固定されている。中蓋９""は、中枠体４""の側壁外周の横断面と同じ大きさで、箱本体２""の内部空洞の横断面よりも縦横各々1mm小さく成形した長方形状の平板であり、長手方向の一端の中央部には、直径2.5cmの半円形の切欠１０""が設けられている。箱本体２""、蓋体３""、中枠体４""および中蓋９""は、図１に示す遺骨・遺品収容箱１に用いた硬質の紙板と同じ硬質の紙板を用いて作製されており、コーナー部分も同様のＶカット加工で形成されている。
箱本体２""、蓋体３""および中蓋９""の外側表面には、織物生地が貼合されており、遺骨・遺品収容箱１""は、荘厳な外観を呈する。また、蓋体３""の外側側壁の一面には、織物生地の上から、家名を表示するためのラベルＬが取り付けられており、さらに、蓋体３""の天井部の表面には、織物生地の上からシールラベルＬ'が貼り付けられている。
遺骨・遺品収容箱１""も、図１に示す本発明の遺骨・遺品収容箱１と同様、極めて安定で丈夫であり、かつ調湿性を有し、長期間に渡って耐久性を保持する。
【００２７】
図１〜図４に示す本発明の遺骨・遺品収容箱はいずれも、割れたり欠けたりすることがなく、軽量で、取り扱いに都合がよい。紙製であるため滑りにくく、複数個を安定かつコンパクトに収納でき、収納面でも非常に都合がよい。
【図面の簡単な説明】
【００２８】
【図１】本発明の遺骨・遺品収容箱の具体的態様を示す図である。Ａは、本発明の遺骨・遺品収容箱の一具体例を示す斜視図であり、Ｂは、Ａに示す遺骨・遺品収容箱から蓋体を取り去り、箱本体の内部を明らかにした斜視図である。Ｃは、底部に滑り止め加工を施した本発明の遺骨・遺品収容箱の一具体例を示す底面図である。
【図２】本発明の遺骨・遺品収容箱の別の具体例に関して、蓋体を取り去り、箱本体の内部を明らかにした図である。Ａは、調湿体を中枠体の内壁と一体化させた一具体例に関して、箱本体の内部を明らかにした斜視図であり、Ｂは、Ａに示す箱本体の側壁付近の断面図である。Ｃは、結露防止用シート体を備える一具体例に関して、箱本体の内部を明らかにした斜視図である。
【図３】中蓋を備えた本発明の遺骨・遺品収容箱の具体例に関して、蓋体を取り去り、中蓋の態様を明らかにした図である。Ａは中蓋の一例を示す斜視図であり、Ｂは、Ａに示す中蓋の使用状態を示す斜視図である。
【図４】本発明の遺骨・遺品収容箱の別の具体的態様を示す斜視図である。
【符号の説明】
【００２９】
１、１'、１""  本発明の遺骨・遺品収容箱
１"、１"'、１-２  蓋体を取り去った状態の本発明の遺骨・遺品収容箱
２、２""  箱本体
３、３""  蓋体
４、４""  中枠体
５、５""  調湿シート
５"'  結露防止用シート体
６、６""  中枠体の上端縁
７、７""  箱本体の上端縁
８  シール
９、９""  中蓋
１０、１０""  切欠
Ｇ  金のコーティング層
Ｌ  ラベル
Ｌ'  シールラベル
Ｐ  紙材
Ｓ  シート
Ｔ  瓦粉末コーティング層
【図１】
2008073108.tif 000003
【図２】
2008073108.tif 000004
【図３】
2008073108.tif 000005
【図４】
2008073108.tif 000006